(57)【要約】      （修正有）【課題】（壁面収納）家具の前面を筆記領域として有効利用することが可能なことに加えて、ボードの施錠による収納物の安全対策の万全を図ることができる（壁面収納）家具用スライドボード装置を提供する。【解決手段】前面開口型の（壁面収納）家具に取り付ける（壁面収納）家具用スライドボード装置１であって、（壁面収納）家具の前面にスライド可能に配置され、前面を開口又は閉塞する板面ホワイトボード仕様の前スライド板４及び後スライド板５と、前スライド板４及び後スライド板５の前面閉塞位置における重合位置にわたって配置され、前スライド板４及び後スライド板５をスライド不能に施錠するプッシュロック式の施錠機構部６とを有するものである。【選択図】図１
0003116996.tif 000002
【実用新案登録請求の範囲】
【請求項１】
前面開口型の（壁面収納）家具に取り付ける（壁面収納）家具用スライドボード装置であって、
前記（壁面収納）家具の前面にスライド可能に配置する板面ホワイトボード仕様のスライド板と、
このスライド板を定位置で施錠し、当該スライド板の背面側を閉塞する施錠機構部と、
を有することを特徴とする（壁面収納）家具用スライドボード装置。
【請求項２】
前面開口型で複数連結構成の（壁面収納）家具に取り付ける（壁面収納）家具用スライドボード装置であって、
前記（壁面収納）家具の前面にその連結数に応じて各々スライド可能に配置されて、前記前面を開口又は閉塞する板面ホワイトボード仕様の複数のスライド板と、
各スライド板の前面閉塞位置における重合位置にわたって配置され、各スライド板をスライド不能に施錠する施錠機構部と、
を有することを特徴とする（壁面収納）家具用スライドボード装置。
【請求項３】
前面開口型で複数連結構成の（壁面収納）家具に取り付ける（壁面収納）家具用スライドボード装置であって、
前記（壁面収納）家具の前面にその連結数に応じて各々２条のレール及び２条の案内溝に案内されつつスライド可能に配置され、前記前面を開口又は閉塞する板面ホワイトボード仕様の複数のスライド板と、
各スライド板の前面閉塞位置における重合位置にわたって配置され、各スライド板をスライド不能に施錠するプッシュロック式の施錠機構部と、
を有することを特徴とする（壁面収納）家具用スライドボード装置。
【請求項４】
前面開口型で複数連結構成の（壁面収納）家具に取り付ける（壁面収納）家具用スライドボード装置であって、
前記（壁面収納）家具の前面にその連結数に応じて各々２条のレール及び２条の案内溝に案内されつつスライド可能に配置され、前記前面を開口又は閉塞する板面ホワイトボード仕様の複数のスライド板と、
各スライド板の前面閉塞位置における重合位置にわたって配置され、各スライド板をスライド不能に施錠するプッシュロック式の施錠機構部と、
を有し、
前記スライド板の板面に予定表、行動予定表等の事項記入欄を設けたことを特徴とする（壁面収納）家具用スライドボード装置。
【考案の詳細な説明】
【技術分野】
【０００１】
本考案は、施錠機構を具備した斬新な（壁面収納）家具用スライドボード装置に関するものである。
【背景技術】
【０００２】
例えば、書類ファイルや書籍等を整列状態で収納する前面開口型の壁面収納家具は、会社、公共機関等の事務室、会議室等の壁面近傍に設置され多用されている。
【０００３】
また、このような前面開口型の壁面収納家具と、ホワイトボードとを組み合わせ、壁面収納家具の前面にホワイトボードを引戸のようにスライド可能に設置して壁面収納家具の前面領域を文字や図等の筆記領域として活用することで、ホワイトボードを単独で設置する場合に比べて省スペース化を図ることも行われている。
【０００４】
このような壁面収納家具においては、当然のことながら、内部に収納した書類ファイルや書籍等が不用意に外部に持ち出されることを防止する対策が要請される。
【０００５】
特許文献１には、収納家具の前面に左右移動自在に配置したボードの移動方向端部にバネ力により付勢された係合体を、前記ボード用のガイドレールの端部に設けたカバー体には前記係合体が係脱する係止溝を設けて、前記ボードを不用意に動かないようにした収納家具におけるボード装置が提案されている。
【０００６】
しかしながら、この特許文献１のボード装置の場合、収納家具前面に配置したボードを単に係止するものであり、ボードを定位置で施錠し、収納家具内に収納した書類ファイルや書籍等が不用意に持ち出されることを阻止する機能は有していない。
【特許文献１】実開平６−４４４４７号公報
【考案の開示】
【考案が解決しようとする課題】
【０００７】
解決しようとする問題点は、壁面収納家具の前面を筆記領域として有効利用することが可能なことに加えて、ボードの施錠による収納物の安全対策の万全を図ることができる壁面収納家具用スライドボード装置が存在しない点である。
【課題を解決するための手段】
【０００８】
本考案の（壁面収納）家具用スライドボード装置は、前面開口型の（壁面収納）家具に取り付ける（壁面収納）家具用スライドボード装置であって、前記（壁面収納）家具の前面にスライド可能に配置する板面ホワイトボード仕様のスライド板と、このスライド板を定位置で施錠し、該スライド板背面側を閉塞する施錠機構部とを有することを最も主要な特徴とする
【考案の効果】
【０００９】
本考案によれば、以下の効果を奏する。
請求項１記載の考案によれば、前面開口型の（壁面収納）家具に対して、板面ホワイトボード仕様のスライド板を当該前面にスライド可能に配置し、施錠機構部によりスライド板を定位置で施錠し、該スライド板背面側を閉塞するように構成したものであるから、（壁面収納）家具の前面を筆記領域として有効利用することが可能であり、かつ、スライド板の施錠により（壁面収納）家具内における収納物の安全対策の万全を期することができる。
【００１０】
請求項２記載の考案によれば、複数連結構成の（壁面収納）家具に対してその連結数に応じた複数のスライド板を配置し、各スライド板をスライド不能に施錠する施錠機構部を設けた構成で、請求項１記載の考案と同様な効果を奏することができる。
【００１１】
請求項３記載の考案によれば、複数連結構成の（壁面収納）家具に対してその連結数に応じた複数のスライド板を配置し、各スライド板をスライド不能に施錠するプッシュロック式の施錠機構部を設けた構成で、請求項１記載の考案と同様な効果を奏することができる。また、プッシュロック式の施錠機構部により各スライド板の施錠、開錠の簡略化を図ることもできる。
【００１２】
請求項４記載の考案によれば、請求項３記載の考案と同様な効果を奏することができるとともに、スライド板の板面に予定表、行動予定表等の事項記入欄を設けているので、会社等の業務遂行に有効な（壁面収納）家具用スライドボード装置を提供できる。
【考案を実施するための最良の形態】
【００１３】
本考案は、（壁面収納）家具の前面を筆記領域として有効利用することが可能なことに加えて、ボードの施錠による収納物の安全対策の万全を図ることができる（壁面収納）家具用スライドボード装置を提供するという目的を、前面開口型で複数連結構成の（壁面収納）家具に取り付ける（壁面収納）家具用スライドボード装置であって、前記（壁面収納）家具の前面にその連結数に応じて各々２条のレール及び２条の案内溝に案内されつつスライド可能に配置され、前記前面を開口又は閉塞する板面ホワイトボード仕様の複数のスライド板と、各スライド板の前面閉塞位置における重合位置にわたって配置され、各スライド板をスライド不能に施錠するプッシュロック式の施錠機構部と、を有する構成により実現した。
【実施例】
【００１４】
以下に、本考案の実施例を図面を参照して詳細に説明する。
本実施例に係る（壁面収納）家具用スライドボード装置１（以下「スライドボード装置１」という）は、図１、図２に示すように、前面開口型の（壁面収納）家具１００（例えば左右幅９００ｍｍの２連構成）の前面における下部、上部に各々取り付ける下レール体２、上レール体３と、この下レール体２、上レール体３により、（壁面収納）家具１００の前面において左右にスライド可能に支持された例えば板面アルミホーローホワイトボード仕様の一対の中空構造の前スライド板４、後スライド板５と、これら前スライド板４、後スライド板５を（壁面収納）家具１００の前面を閉塞する状態にスライドさせたとき重合する前記前スライド板４、後スライド板５の端部同士にわたるように取り付けた施錠機構部６とを有している。
前記下レール体２、上レール体３は、前スライド板４、後スライド板５をも含め上下入れ替えて使用することもでき、状況により適宜入れ替えて使用するものである。
【００１５】
前記前スライド板４、後スライド板５は、各々スライド操作用の取手７を左右両端部に備えている。前記取手７は、裏面に両面接着テープを付けた構成としている。
【００１６】
前記下レール体２は、図３、図４に示すように、Ｌ形状に形成され、垂直片１１ａ側が（壁面収納）家具１００の前面下部にネジ（十字穴付タッピンネジ）１２により固着されるとともに水平片１１ｂを（壁面収納）家具１００の前面から前方に突出させた取り付けブラケット１１と、２条の下部案内溝１４ａ、１４ｂを有する下部レール１５とを有している。
前記取り付けブラケット１１の水平片１１ｂは、下部レール１５の下面に添着され、その突出端を下部レール１５の下端隅部に設けた係合受部１５ａに没入させている。また、前記取り付けブラケット１１の水平片１１ｂに設けたネジ孔１１ｄに対して、下部レール１５の下部案内溝１４ｂの孔１４ｄを貫いてネジ（十字穴付ナベネジ）１３を螺合している。
前記下部レール１５の下部案内溝１４ａ内には、立体形状のストッパゴム１７と、バネ鋼板を用いたストッパクリック１８とを配置し、固定している。
すなわち、ストッパネジ１６をストッパゴム１７の円形凹部１７ａに内に没入するように、かつ、ストッパネジ１６のネジ部１６ａをストッパゴム１７の下方に突出するように配置し、更に前記ストッパクリック１８の底片１８ｃに設けた孔１８ｄ、下部案内溝１４ａの孔１４ｃを貫いて前記取り付けブラケット１１の水平片１１ｂに設けたネジ孔１１ｃに螺合している。
前記ストッパクリック１８の垂直片１８ａは、ストッパゴム１７と下部案内溝１４ａの側壁とに沿ってこの下部案内溝１４ａの内方に延在され、屈曲させた突出端１８ｂにより、下部レール１５上をスライドする前スライド板４の端部を受けるように構成している。
【００１７】
前記後スライド板５の下部には、略Ｕ状に形成した挟持体（枠フレーム）２１及び垂下片２２がネジ１２を用いてこの後スライド板５の中空構造を形成するスペーサ部材５ｂにネジ止め固着され、垂下片２２の下端に配置したガイドローラ２３の外周を前記下部案内溝１４ｂの壁面に摺接させることで、後スライド板５の下部のスライドガイド機能を発揮させるようにしている。
【００１８】
なお、図示していないが、前記前スライド板４の下部側の構造も、後スライド板５の下部の構造と同様としている。
【００１９】
前記上レール体３は、図３に示すように、（壁面収納）家具１００の前面上端から後方に延在させた取り付け片３１と、この取り付け片３１と一体のレール筒部３２とを具備し、取り付け片３１を（壁面収納）家具１００の前面上端に密着させ、かつ、ネジ１２によりこの取り付け片３１を（壁面収納）家具１００の前面上端にネジ止め固着することで、レール筒部３２を（壁面収納）家具１００の前面上部に一体的に添設している。
【００２０】
前記レール筒部３２には、図３に示すように、前記前スライド板４、後スライド板５用の各々上下対向配置のガイドレール３３、３４を（壁面収納）家具１００の前面に沿う方向に設けている。
【００２１】
前記前スライド板４、後スライド板５の上部には、各々略Ｕ状に形成した挟持体（枠フレーム）３５及びＬ状支持片３６がネジ１２を用いてこれら前スライド板４、後スライド板５の中空構造を形成する各スペーサ部材４ｂ、５ｂにネジ止め固着され、各Ｌ状支持片３６の上端部に止めネジ３７を用いて回転可能に取り付けた円形ローラ３８、３８を前記上下対向配置のガイドレール３３、３４に各々係合させることで、前スライド板４、後スライド板５の上部のスライドガイド機能を各々発揮させるようにしている。
【００２２】
前記レール筒部３２におけるガイドレール３３、３４の近傍位置には、このレール筒部３２を他のレール筒部３２と直線的に連結する際に使用するスプリングピン３９を配置している。また、前記レール筒部３２には、このレール筒部３２を他のレール筒部３２と直線的に連結する際に使用する連結プレート４０をネジ１３を用いてネジ止めしている。
【００２３】
次に、図５乃至図７を参照して前記施錠機構部６について詳述する。
この施錠機構部６は、前記前スライド板４と、後スライド板５との端部同士が重合する位置に配置され、前スライド板４の前方から鍵４１を用いて略ワンタッチのプッシュ式で前スライド板４、後スライド板５間の施錠操作及び施錠解除操作を行うように構成している。
【００２４】
すなわち、施錠機構部６は、図５、図６に示すように、前スライド板４の左端部に、円筒状のシリンダ４２と、鍵穴４３ａを備えるとともにシリンダ４２に対して例えばストローク７ｍｍをもって出没する錠本体４３とからなる錠部４４を円筒状の取り付け具４５を用いて取り付けている。
前記錠本体４３の後部には、図７に示すように、この錠本体４３と一体でストローク７ｍｍの範囲で変位する丸棒状の施錠片４３ｂを設けている。
【００２５】
一方、前記後スライド板５の右端部における前記取り付け具４５に対応する位置には、前記施錠片４３ｂが没入可能な受孔４６を備えた円筒状の取り付け具４７を配置している。
【００２６】
なお、図５中、４８は取り付け具４５を前スライド板４の左端部に固着するネジ、４９は前スライド板４の左端部に設けた前記錠本体４３の出没を確保するためのＶカット部である。
【００２７】
図７は、前記鍵４１及び施錠機構部６による前スライド板４、後スライド板５間の施錠操作及び施錠解除操作を説明するための説明図である。
【００２８】
すなわち、前スライド板４、後スライド板５の端部同士が重合した状態で、錠本体４３をストローク７ｍｍをもって押し込めば、前記施錠片４３ｂが後スライド板５側の受孔４６に没入した状態となるとともに、錠本体４３が施錠状態となって、これにより、前スライド板４、後スライド板５はスライド不能に施錠される。なお、図７には、説明の便宜上、鍵４１を鍵穴４３ａに差し込んだ状態を図示しているが、施錠する場合は、指でシリンダ４２を押し込むだけで施錠できることは勿論である。
【００２９】
この結果、（壁面収納）家具１００内に収納された書類ファイル、書籍等が不用意に持ち出されることを確実に阻止できる。
なお、錠本体４３の施錠構造の詳細は省略するが公知のプッシュロック式におけるシリンダ錠の構造を採用することができる。
また、上述した施錠状態において、前記鍵４１を鍵穴４３ａに差し込み、図７下欄に示すように、６０度右側に回動することで、シリンダ４２が手前に表出（出っ張り）して錠本体４３の施錠状態は解除され、錠本体４３はストローク７ｍｍをもって前方（手前）に変位し、従って前記施錠片４３ｂが後スライド板５側の受孔４６から離脱し、前スライド板４、後スライド板５を自由にスライドさせることが可能な状態とすることができる。
【００３０】
なお、上述した鍵４１及び施錠機構部６の構成は、一例であり、前スライド板４、後スライド板５間の施錠機構部としては、この他種々の錠の構成を採用することが可能である。
【００３１】
以上説明した本実施例に係るスライドボード装置１によれば、前面開口型の（壁面収納）家具１００にこのスライドボード装置１を取り付けることによって、この（壁面収納）家具１００の前面領域に前記前スライド板４、後スライド板５による文字、図等の筆記領域を確保でき、ホワイトボードを個別（別途）に使用する場合に比べ省スペースを図ることができる。
【００３２】
また、スライドボード装置１は、上述したような鍵４１及び施錠機構部６を備えることから、簡略な操作にて前スライド板４、後スライド板５をスライド不能に施錠し、これにより、（壁面収納）家具１００内に収納された書類ファイル、書籍等が不用意に持ち出されることを確実に阻止し、書類ファイル、書籍等の保管に関する安全性の向上を図ることができる。また、前スライド板４、後スライド板５間の施錠解除も極めて容易である。
【００３３】
図８は、図３のＡ−Ａ線断面（図１の円形部分Ｐ、すなわち上レール体３の隅部分）を示すものであり、この部分にはシュー部５３を配置している。
【００３４】
図９は、本実施例のスライドボード装置１の具体的応用例を示すもので、前記後スライド板５の表面に一月分、１日毎の予定を記入する記入欄を設けた予定表５１を、前記前スライド板４に氏名、訪問先、帰社時間、午前、午後の別を記入する記入欄を設けた行動予定表５２を設けて構成したスライドボード装置１Ａを示している。この他の構成は、既述したスライドボード装置１の場合と同様である。
【００３５】
このスライドボード装置１Ａの場合においても、前記スライドボード装置１の場合と同様に省スペース化を図りつつ予定表５１に会社等の業務予定を記入したり、行動予定表５２に個人個人の午前、午後の行動予定を記入したりするという有効利用が可能となる。
【００３６】
また、既述したような鍵４１及び施錠機構部６を備えることから、簡略な操作にて前スライド板４、後スライド板５をスライド不能に施錠し、これにより、（壁面収納）家具１００内に収納された書類ファイル、書籍等が不用意に持ち出されることを確実に阻止し、書類ファイル、書籍等の保管に関する安全性の向上を図ることができる。また、前スライド板４、後スライド板５間の施錠解除も極めて容易である。
【００３７】
図１０は、前記した各本実施例に係るスライドボード装置１の拡張例を示すものである。
既述した本実施例のスライドボード装置１は、左右幅９００ｍｍの前スライド板４及び後スライド板５を組み合わせて使用した２連構成であるが、図１０第２段乃至第４段に各々示すように、（壁面収納）家具１００の連結構成（３連、４連、左右幅１８００ｍｍの大型２連）に応じて、左右幅９００ｍｍの前スライド板４を中央に配置しその両側に左右幅９００ｍｍの後スライド板５を２枚組み合わせて使用した３連構成のスライドボード装置１Ｂ、左右幅９００ｍｍの前スライド板４を２枚、左右幅９００ｍｍの後スライド板５を２枚組み合わせて使用した４連構成のスライドボード装置１Ｃ、更には、左右幅１８００ｍｍの（壁面収納）家具１００Ａに対応させた左右幅１８００ｍｍの前スライド板４ａと、左右幅１８００ｍｍの後スライド板５ａとを組み合わせて使用した大型２連構成のスライドボード装置１Ｄとすることもできる。
【００３８】
これらの場合も、スライドボード装置１Ｂ、スライドボード装置１Ｃにおける前スライド板４、後スライド板５の端部同士の重合部分、スライドボード装置１Ｄにおける前スライド板４ａ、後スライド板５ａの重合部分に、既述した施錠機構部６を設けることにより、各々既述したスライドボード装置１の場合と同様な作用効果を発揮させることができる。
【００３９】
更に、図示しないが左右幅８００ｍｍ型の前面開口型の（壁面収納）家具に対しても、既述したスライドボード装置１の構成を適用し、同様な作用効果を発揮させることができる。
【産業上の利用可能性】
【００４０】
本考案は、上述した場合の他、例えば、前面開口型の（壁面収納）家具に対して、開閉扉式にホワイトボード仕様のボード板を取り付ける場合にも応用可能である。また、（壁面収納）家具に限らず、前面開口型のキャビネット、本箱等にも幅広く適用可能である。
【図面の簡単な説明】
【００４１】
【図１】本考案の実施例に係るスライドボード装置の正面図である。
【図２】本実施例に係るスライドボード装置の側面図である。
【図３】本実施例に係るスライドボード装置の壁面収納家具に対する取り付け状態を示す部分省略断面図である。
【図４】本実施例に係るスライドボード装置における下部レール、ストッパゴム、ストッパクリック及び取り付けブラケットの分解斜視図である。
【図５】本実施例に係るスライドボード装置における施錠機構部の拡大正面図である。
【図６】本実施例に係るスライドボード装置における施錠機構部の拡大概略断面図である。
【図７】本実施例に係るスライドボード装置における施錠機構部の施錠、開錠動作を概念的に示す説明図である。
【図８】図３のＡ−Ａ線断面図である。
【図９】本実施例に係るスライドボード装置の具体的応用例を示す正面図である。
【図１０】本実施例に係るスライドボード装置及び３種の拡張例を示す平面図である。
【符号の説明】
【００４２】
１    スライドボード装置
１Ａ  スライドボード装置
１Ｂ  スライドボード装置
１Ｃ  スライドボード装置
１Ｄ  スライドボード装置
２    下レール体
３    上レール体
４    前スライド板
４ａ  前スライド板
４ｂ  スペーサ部材
５    後スライド板
５ａ  後スライド板
６    施錠機構部
７    取手
１１    取り付けブラケット
１１ａ  垂直片
１１ｂ  水平片
１１ｃ  ネジ孔
１１ｄ  ネジ孔
１２    ネジ
１３    ネジ
１４ａ  下部案内溝
１４ｂ  下部案内溝
１４ｃ  孔
１４ｄ  孔
１５    下部レール
１５ａ  係合受部
１６    ストッパネジ
１６ａ  ネジ部
１７    ストッパゴム
１８    ストッパクリック
１８ａ  垂直片
１８ｂ  突出端
１８ｃ  底片
２１    挟持体
２２    垂下片
２３    ガイドローラ
３１    取り付け片
３２     レール筒部
３３    ガイドレール
３４    ガイドレール
３５    挟持体
３６    Ｌ状支持片
３７    ネジ
３８    円形ローラ
３９    スプリングピン
４０    連結プレート
４１    鍵
４２    シリンダ
４３    錠本体
４３ａ  鍵穴
４３ｂ  施錠片
４４    錠部
４５    取り付け具
４６    受孔
４７    取り付け具
４８    ネジ
４９    Ｖカット部
５１    予定表
５２    行動予定表
５３    シュー部
【図１】
0003116996.tif 000003
【図２】
0003116996.tif 000004
【図３】
0003116996.tif 000005
【図４】
0003116996.tif 000006
【図５】
0003116996.tif 000007
【図６】
0003116996.tif 000008
【図７】
0003116996.tif 000009
【図８】
0003116996.tif 000010
【図９】
0003116996.tif 000011
【図１０】
0003116996.tif 000012
【手続補正書】
【提出日】平成17年10月4日(2005.10.4)
【手続補正１】
【補正対象書類名】実用新案登録請求の範囲
【補正対象項目名】全文
【補正方法】変更
【補正の内容】
【実用新案登録請求の範囲】
【請求項１】
前面開口型で、壁面に配置、収納等して用いられる家具に取り付ける家具用スライドボード装置であって、
前記家具の前面にスライド可能に配置する板面ホワイトボード仕様のスライド板と、
このスライド板を定位置で施錠し、当該スライド板の背面側を閉塞する施錠機構部と、
を有することを特徴とする家具用スライドボード装置。
【請求項２】
前面開口型で、壁面に配置、収納等して用いられる複数連結構成の家具に取り付ける家具用スライドボード装置であって、
前記家具の前面にその連結数に応じて各々スライド可能に配置されて、前記前面を開口又は閉塞する板面ホワイトボード仕様の複数のスライド板と、
各スライド板の前面閉塞位置における重合位置にわたって配置され、各スライド板をスライド不能に施錠する施錠機構部と、
を有することを特徴とする家具用スライドボード装置。
【請求項３】
前面開口型で、壁面に配置、収納等して用いられる複数連結構成の家具に取り付ける家具用スライドボード装置であって、
前記家具の前面にその連結数に応じて各々２条のレール及び２条の案内溝に案内されつつスライド可能に配置され、前記前面を開口又は閉塞する板面ホワイトボード仕様の複数のスライド板と、
各スライド板の前面閉塞位置における重合位置にわたって配置され、各スライド板をスライド不能に施錠するプッシュロック式の施錠機構部と、
を有することを特徴とする家具用スライドボード装置。
【請求項４】
前面開口型で、壁面に配置、収納等して用いられる複数連結構成の家具に取り付ける家具用スライドボード装置であって、
前記家具の前面にその連結数に応じて各々２条のレール及び２条の案内溝に案内されつつスライド可能に配置され、前記前面を開口又は閉塞する板面ホワイトボード仕様の複数のスライド板と、
各スライド板の前面閉塞位置における重合位置にわたって配置され、各スライド板をスライド不能に施錠するプッシュロック式の施錠機構部と、
を有し、
前記スライド板の板面に予定表、行動予定表等の事項記入欄を設けたことを特徴とする家具用スライドボード装置。